(57)【要約】【課題】製造コストや設置スペースの増加を抑えながら、加湿後の解反生地にしわが生じることを防止することが可能な縮絨機を提供する。【解決手段】生地原反４０を支持する原反支持部（原反支持ローラー３Ａ、３Ｂ等）と、原反支持部に支持された生地原反の一端を引き出して解反生地４０ａを移送する移送部（解反生地移送ローラー３Ｃ、３Ｄ等）と、移送部によって移送中の解反生地の表面に蒸気を噴射する加湿部８と、加湿部によって加湿された後の解反生地に強制的に空気を吹き付けながら、解反生地を振り落とす冷却・振り落とし部（冷却ファン９及び振り落としレバー１０等）と、冷却・振り落とし部によって振り落とされた解反生地が積み重ねられる積重部（解反生地積重基台２ａ）とを備える縮絨機１。冷却ファンで解反生地の外側の面に強制的に空気を吹き付けることが好ましい。【選択図】図１
2017172056.tif 000002
【特許請求の範囲】
【請求項１】
生地原反を支持する原反支持部と、
該原反支持部に支持された生地原反の一端を引き出して解反生地を移送する移送部と、
前記移送部によって移送中の解反生地の表面に蒸気を噴射する加湿部と、
前記加湿部によって加湿された後の解反生地に強制的に空気を吹き付けながら、該解反生地を振り落とす冷却・振り落とし部と、
該冷却・振り落とし部によって振り落とされた解反生地が積み重ねられる積重部とを備えることを特徴とする縮絨機。
【請求項２】
前記冷却・振り落とし部は、前記解反生地の外側の面に強制的に空気を吹き付けることを特徴とする請求項１に記載の縮絨機。
【請求項３】
前記冷却・振り落とし部は、前記解反生地に強制的に空気を吹き付ける冷却ファンを備えることを特徴とする請求項１又は２に記載の縮絨機。
【発明の詳細な説明】
【技術分野】
【０００１】
本発明は、巻回された生地原反を裁断可能な状態にほどき、解反生地の緊張を解き、解反生地にしわが生じることを防止する縮絨機に関する。
【背景技術】
【０００２】
従来、例えば、特許文献１及び２に記載のように、生地を原反支持ローラー上に支持し、モーターによって原反支持ローラーを回転させて自動的に解反生地を繰り出して生地を裁断できるようにする移送部と、解反生地の緊張を解くため、移送中に蒸気を解反生地に噴出する加湿部と、加湿後の解反生地を振り落とす振り落とし部と、振り落とされた解反生地が積み重ねられる積重部とを備えた縮絨機が使用されている。
【０００３】
しかし、上記特許文献１に記載の縮絨機では、積重された解反生地に対して水分と自重による重力が掛かり、解反生地が自然に冷却されると、解反生地にしわが生じるという問題があった。
【０００４】
また、特許文献２に記載の縮絨機は、特許文献１に記載の縮絨機に比較して、加湿部と積重部の間が開いているため、積重される前に解反生地が自然に冷却されて解反生地に掛かる重力が低減されるものの、冷却不足で解反生地にしわが生じるおそれがあった。
【０００５】
そこで、加湿後の解反生地にしわが生じることを防止するため、特許文献３及び４には、加湿部と振り落とし部の間に、空気によって解反生地を冷却する冷却部を設けた縮絨機が開示される。
【先行技術文献】
【特許文献】
【０００６】
【特許文献１】特開２０１４−０９１８７３号公報
【特許文献２】特開２００７−２１１３７７号公報
【特許文献３】特開２００９−２２８１６９号公報
【特許文献４】特開平９−２２８２３２号公報
【発明の概要】
【発明が解決しようとする課題】
【０００７】
しかし、上記特許文献３及び４に記載の縮絨機は、冷却部を設けるために装置を大型化する必要があり、装置の製造コストや設置スペースにおいて改善の余地があった。
【０００８】
そこで、本発明は、上記従来の技術における問題点に鑑みてなされたものであって、製造コストや設置スペースの増加を抑えながら、加湿後の解反生地にしわが生じることを防止することが可能な縮絨機を提供することを目的とする。
【課題を解決するための手段】
【０００９】
上記目的を達成するため、本発明の縮絨機は、生地原反を支持する原反支持部と、該原反支持部に支持された生地原反の一端を引き出して解反生地を移送する移送部と、前記移送部によって移送中の解反生地の表面に蒸気を噴射する加湿部と、前記加湿部によって加湿された後の解反生地に強制的に空気を吹き付けながら、該解反生地を振り落とす冷却・振り落とし部と、該冷却・振り落とし部によって振り落とされた解反生地が積み重ねられる積重部とを備えることを特徴とする。
【００１０】
本発明によれば、解反生地を振り落とす際に解反生地に強制的に空気を吹き付けて冷却するため、解反生地を効率よく冷却することができ、冷却・振り落とし部で冷却と振り落としを同時に行うため、装置の製造コストや設置スペースを大幅に低減することができる。
【００１１】
上記縮絨機において、前記冷却・振り落とし部は、前記解反生地の外側の面に強制的に空気を吹き付けることができ、解反生地の開放された外側の面を冷却することで冷却効率をより一層高めることができる。
【００１２】
また、前記冷却・振り落とし部は、前記解反生地に強制的に空気を吹き付ける冷却ファンを備えることができ、簡易な構成で運転コストも低く抑えることができる。
【発明の効果】
【００１３】
以上のように、本発明によれば、製造コストや設置スペースの増加を抑えながら、加湿後の解反生地にしわが生じることを防止することが可能な縮絨機を提供することができる。
【図面の簡単な説明】
【００１４】
【図１】本発明に係る縮絨機の一実施の形態を示す図であって、（ａ）は正面図、（ｂ）は要部機構を示す概略側断面図である。
【図２】図１の縮絨機を解反生地積重基台側から見た場合の斜視図である。
【発明を実施するための形態】
【００１５】
図１及び図２は、本発明に係る縮絨機の一実施の形態を示し、この縮絨機１は、本体２と、本体２の背部側に生地原反４０を載置して支持する原反支持ローラー３Ａ、３Ｂと、原反支持ローラー３Ａ、３Ｂや、解反生地揺動機構のスプロケット７等を駆動するためのモーター４と、解反生地４０ａの緊張を解くために加湿する加湿部８と、加湿された後の解反生地４０ａを冷却しながら振り落とす冷却ファン９及び振り落としバー１０（冷却・振り落とし部）と、解反生地４０ａが積重される解反生地積重基台（積重部）２ａ等で構成される。
【００１６】
２つの原反支持ローラー３Ａ、３Ｂは、生地原反４０を支持するために備えられ、両支持ローラー３Ａ、３Ｂの各一側に設けられたスプロケットギア（不図示）に掛け回される無端状チエーン４Ａを介してモーター４の回転によって回転し、生地原反４０を繰り出す。
【００１７】
モーター４は、２つの原反支持ローラー３Ａ、３Ｂを回転させるとともに、解反移送用ローラー３Ｃ、３Ｄ、スプロケット７等を無端状チェーン４Ｂを介して回転させる。
【００１８】
スプロケット７は、振り落としレバー１０を前後に揺動するために設けられ、テンションスプロケット３Ｅを介してモーター４の回転が伝えられる。
【００１９】
解反移送用ローラー３Ｃ、３Ｄ、テンションスプロケット３Ｅ、は、解反生地４０ａを移送するために設けられ、これらは、モーター４の回転によって、解反移送用ローラー３Ｃ、３Ｄの各々に設けられた図示しないスプロケットギア及びテンションスプロケット３Ｅに掛架されたチェーン４Ｂを介して回転する。
【００２０】
加湿部８は、蒸気を噴射することによって解反生地４０ａの緊張を解くために設けられ、図示しないスチームパイプ、スチームチャンバー等を備える。
【００２１】
冷却ファン９は、加湿後の解反生地４０ａに空気を当てることによって、この解反生地４０ａを急冷するために後述する振り落としレバー１０の平行バー１０ａに設置される。ここで、解反生地４０ａの外側（縮絨機１の外側）から解反生地４０ａに向かって空気を吹き付けるように設置されることが好ましい。これは、解反生地４０ａの内側（縮絨機１の内側）には加湿部８が存在し、加湿部８によって周囲の空気が暖められて解反生地４０ａの冷却効率が低下するからである。尚、冷却ファン９の形状や寸法、取付台数は冷却対象である解反生地４０ａに応じて適宜設定される。
【００２２】
振り落としレバー１０は、解反生地４０ａにおける静電気の発生を防止するとともに、解反生地４０ａを解反生地積重基台２ｂに積重するために備えられ、強制揺動される解反生地４０ａを振り落としレバー１０の振幅によって折り返すため、上下２段にわたって配置され、解反生地４０ａを挟む一対の平行バー１０ａ、１０ｂを備える。振り落としレバー１０は、モーター４により、チェーン４Ｂが掛架されたスプロケット７の回転によって揺動する。
【００２３】
次に、上記構成を有する縮絨機１の動作について詳細に説明する。
【００２４】
まず、生地原反４０を本体２の背部に位置する原反支持ローラー３Ａ、３Ｂの上に裁置し、縮絨機１のモーター４を駆動し、モーター４の回転をチェーン４Ａを介して原反支持ローラー３Ａ、３Ｂの図示しないスプロケットギアに伝達し、２つの原反支持ローラー３Ａ、３Ｂを回転させる。原反支持ローラー３Ａ、３Ｂの回転により、生地原反４０の一端が繰り出され、移送される。
【００２５】
さらに、モーター４の回転がチェーン４Ｂを介して原反支持ローラー３Ａの図示しないスプロケットギアと、解反移送用ローラー３Ｃ、３Ｄと、スプロケット７に伝達され、解反移送用ローラー３Ｃ、３Ｄの回転によって、図１の矢印方向に解反生地４０ａが移送される。
【００２６】
解反生地４０ａの移送中に、加湿部８において蒸気を噴射して加湿し、解反生地４０ａの緊張を解く。
【００２７】
次に、スプロケット７を介してモーター４の回転が伝えられた振り落としレバー１０が揺動し、加湿された解反生地４０ａが平行バー１０ａ、１０ｂによって折り返され、適当な長さに折り畳まれながら解反生地積重基台２ａ上に積重される。この際、平行バー１０ａに設置された冷却ファン９により、解反生地４０ａに対して強制的に空気が吹き付けられて解反生地４０ａが冷却される。また、振り落としレバー１０が揺動することによって、解反生地４０ａにおける静電気の発生を防止することもできる。
【００２８】
以上のように、上記構成を有する縮絨機１によれば、解反生地４０ａを振り落とす際に解反生地４０ａに冷却ファン９によって強制的に空気を吹き付けて冷却するため、解反生地４０ａを効率よく冷却することができる。また、解反生地４０ａを冷却するための冷却ファン９と、解反生地を積重するための振り落としレバー１０とを一体に形成したため、縮絨機１の製造コストや設置スペースを大幅に低減することができる。
【００２９】
尚、上記実施の形態においては、冷却ファン９を振り落としレバー１０に設けたが、解反生地４０ａを振り落としながら冷却することができれば、振り落としレバー１０以外の部分に設けてもよい。
【００３０】
また、冷却ファン９を用いた場合について説明し、冷却ファン９を用いることで装置・運転コストを低く抑えることができて好ましいが、加湿後の解反生地４０ａに強制的に空気を吹き付けることができればこれに限定されず、圧縮機からの圧縮空気を噴出するノズル等を利用してもよい。
【符号の説明】
【００３１】
１  縮絨機
２  本体
２ａ  解反生地積重基台
３Ａ、３Ｂ  原反支持ローラー
３Ｃ、３Ｄ  解反生地移送ローラー
３Ｅ  テンションスプロケット
４  モーター
４Ａ、４Ｂ  無端状チエーン
７  スプロケット
８  加湿部
９  冷却ファン
１０  振り落としレバー
１０ａ、１０ｂ  平行バー
４０  生地原反
４０ａ  解反生地
【図１】
2017172056.tif 000003
【図２】
2017172056.tif 000004